(57)【要約】【課題】室内に設けられ、空調機を操作する空調機用リモコンにおいて、簡易な構造で、退室時において空調機の消し忘れをなくすようにする。【解決手段】空調機用リモコン２０は、室内の照明の消灯を検出する消灯リレー４８と、  消灯リレー４８が消灯を検出した場合、消灯リレー４８の常閉接点４８ａが閉成されることで通電される空調機停止部３４とを有する。空調機停止部３４に通電されると、空調機停止部３４は空調機の運転を停止する。この構成により、照明の消灯に連動して空調機１０が停止するので、退室時において空調機１０の消し忘れを確実に防止することができる。【選択図】図３
2010060199.tif 000002
【特許請求の範囲】
【請求項１】
室内に設けられ、空調機を操作する空調機用リモコンにおいて、
室内の照明の消灯を検出する消灯検出部と、
消灯検出部が照明の消灯を検出した場合、空調機の運転を停止する空調機停止部と、
を有することを特徴とする空調機用リモコン。
【請求項２】
室内に設けられ、空調機を操作する空調機用リモコンにおいて、
室内の照明の消灯を検出する消灯検出部と、
消灯検出部により検出された消灯で時間の計測を開始し、照明の点灯がないことを条件として時間の計測を継続するタイマ部と、
タイマ部により所定時間が計測されたときに、空調機の運転を停止する空調機停止部と、
を有することを特徴とする空調機用リモコン。
【請求項３】
請求項１または２に記載の空調機用リモコンにおいて、
消灯検出部は、照明の電源回路に接続されることを特徴とする空調機用リモコン。
【請求項４】
請求項３に記載の空調機用リモコンにおいて、
消灯検出部は、照明のスイッチに隣接して設けられることを特徴とする空調機用リモコン。
【発明の詳細な説明】
【技術分野】
【０００１】
本発明は、室内に設けられた、空調機を操作する空調機用リモコンの改良に関する。
【背景技術】
【０００２】
一般的に、空調機用リモコンには、空調機の運転及び停止、運転モードの切換、室内温度の設定、風向き及び風速の調整などのスイッチが設けられており、これらのスイッチを操作することで空調機を制御することができる。
【０００３】
空調機用リモコンは、照明のスイッチとともに、室内の出入り口（ドア）付近の壁に取り付けられることが多い。空調機用リモコンが照明のスイッチとともに出入り口付近にあれば、入室と同時に、照明の点灯とともに空調機を運転することができ、退出するときには、照明の消灯とともに空調機を停止することができる。
【０００４】
下記特許文献１には、室内が消灯して所定時間経過した場合、空調機の設定温度を変更する空調システムが記載されている。
【０００５】
【特許文献１】特開２００３−２７９１０１号公報
【発明の開示】
【発明が解決しようとする課題】
【０００６】
しかしながら、空調機用リモコンが室内の出入り口付近の壁に取り付けられていても、退出するときに、照明は消灯するが、空調機を停止し忘れる場合がある。この場合、室内には人が居ないのに空調機の運転が継続することとなり、電気が無駄に消費されてしまう。このような退室時における空調機の消し忘れを防止するため、空調機専用の集中コントローラによる中央遠隔監視やスケジュール運転を行ったり、ビル監視システムによる中央遠隔監視や照明との連動制御を行ったりすることが考えられる。しかし、このような管理システムを構築するためには多くの費用がかかってしまう。
【０００７】
本発明の目的は、簡易な構造で、退室時において空調機の消し忘れがあったとしても、確実に空調機を停止することができる空調機用リモコンを提供することにある。
【課題を解決するための手段】
【０００８】
本発明は、室内に設けられ、空調機を操作する空調機用リモコンにおいて、室内の照明の消灯を検出する消灯検出部と、消灯検出部が照明の消灯を検出した場合、空調機の運転を停止する空調機停止部と、を有することを特徴とする。
【０００９】
また、別の発明は、室内に設けられ、空調機を操作する空調機用リモコンにおいて、室内の照明の消灯を検出する消灯検出部と、消灯検出部により検出された消灯で時間の計測を開始し、照明の点灯がないことを条件として時間の計測を継続するタイマ部と、タイマ部により所定時間が計測されたときに、空調機の運転を停止する空調機停止部と、を有することを特徴とする。
【００１０】
また、消灯検出部は、照明の電源回路に接続されることを特徴とする。
【００１１】
さらに、消灯検出部は、照明のスイッチに隣接して設けられることを特徴とする。
【発明の効果】
【００１２】
本発明の空調機用リモコンによれば、簡易な構造で、退室時において空調機の消し忘れがあったとしても、確実に空調機を停止することができる。
【発明を実施するための最良の形態】
【００１３】
以下、本発明に係る空調機用リモコンの実施形態について、図に従って説明する。
【００１４】
まず、空調機１０の構成について図１を用いて説明する。空調機１０は、室内１２に配置される室内機１４と、室外に配置される室外機１６から構成される。室内機１４と室外機１６とには、冷媒が循環する冷媒配管が接続されている。冷媒を介して室内機１４から室外機１６へ熱が移動することにより、空調機１０は室内１２の冷房を行うことができる。一方、冷媒を介して室外機１６から室内機１４へ熱が移動することにより、空調機１０は室内１２の暖房を行うことができる。
【００１５】
空調機１０を制御するために、空調機１０は空調機用リモコン２０が接続されている。本実施形態においては、空調機用リモコン２０は、室内１２の出入り口であるドア１８の近傍の壁に取り付けられている。
【００１６】
空調機用リモコン２０について図２及び３を用いて説明する。図２は、空調機用リモコン２０の外形を示す図である。図３は、空調機用リモコン２０の要部構成を示す図である。
【００１７】
図２に示すように、空調機用リモコン２０には、空調機１０の状態を示す液晶の表示部２２が形成され、その下方には各種スイッチが配列されている。各種スイッチは、運転／停止スイッチ２４、設定温度スイッチ２６、運転切換スイッチ２８、風向スイッチ３０、及び風速スイッチ３２などを含む。運転／停止スイッチ２４は、空調機１０の運転及び停止を行う。設定温度スイッチ２６は、室内１２の温度を設定する。運転切換スイッチ２８は、冷房運転、暖房運転、除湿運転、送風運転などの運転モードを切り換える。風向スイッチ３０は、室内機１４から送り出される空気の風向を設定する。風速スイッチ３２は、室内機１４から送り出される空気の風速を調節する。これらのスイッチを操作することで空調機１０をコントロールすることができる。
【００１８】
従来技術で説明したように、空調機用リモコン２０が室内１２のドア１８近傍の壁に取り付けられていても、退出するときに、照明は消灯するが、空調機１０を停止し忘れる可能性がある。
【００１９】
そこで、退出時における空調機１０の消し忘れを防止するために、本実施形態の空調機用リモコン２０は、室内１２の照明の消灯と連動させて空調機１０の運転を停止させる機能を有する。以下、その詳細について、図３を用いて説明する。
【００２０】
図３は、本実施形態の空調機用リモコン２０の要部構成を示す回路図である。この図に示すように、空調機用リモコン２０内の直流電源端子Ｐ，Ｎ間には、消灯リレー（消灯検出部）４８の常閉接点４８ａと、空調機停止部３４とが直列に接続されている。
【００２１】
消灯リレー４８は、照明の電源回路４０に接続されている。照明の電源回路４０は、通常、照明灯４２と、電源４４と、照明スイッチ４６とを直列に接続して構成され、照明スイッチ４６をオンすると、照明灯４２が点灯し、照明スイッチ４６をオフすると、照明灯４２が消灯する。本実施形態においては、照明スイッチ４６に隣接して消灯リレー４８が設けられている。
【００２２】
空調機停止部３４は、これへの通電が遮断された状態から通電が開始されると、その変化を検知して空調機１０を停止させる動作を行う。一方、空調機停止部３４は、これに通電がされた状態から通電が遮断された場合には、その変化を検知せずに何も動作を行わない。
【００２３】
以上の構成を有する空調機用リモコン２０の動作について説明する。空調機１０は、空調機用リモコン２０の運転／停止スイッチ２４をオンすることで運転する。また、照明灯４２は、照明スイッチ４６をオンすることで点灯する。照明スイッチ４６のオン動作により、消灯リレー４８への通電が開始されると、消灯リレー４８の常閉接点４８ａが開成される。常開接点４８ａの開成により空調機停止部３４への通電が遮断されるが、上述のように空調機停止部３４は何も動作を行わない。
【００２４】
空調機１０が運転した状態で退室するとき、照明灯４２は、照明スイッチ４６をオフすることで電源４４の供給が遮断され消灯する。照明スイッチ４６のオフ動作により、消灯リレー４８への通電も遮断されるので、消灯リレー４８の常閉接点４８ａが閉成される。言い換えれば、消灯を検出する。常閉接点４８ａの閉成により、空調機停止部３４への通電が開始され、上述したように空調機停止部３４はその変化を検知して空調機１０を停止させる動作を行う。
【００２５】
上記動作を図４に示すフローチャートで説明する。まず、ステップＳ１０１において、照明が消灯したか否かが判断される。照明が消灯した場合、ステップＳ１０２が実行される。ステップＳ１０２では、空調機１０を停止させる動作を行い、制御動作が終了する。一方、照明が消灯していない場合、ステップＳ１０３が実行される。ステップ１０３では、空調機１０の運転が継続されて、制御動作が終了する。
【００２６】
このような空調機用リモコン２０の構成によれば、照明の消灯に連動して空調機１０が停止するので、退室時において空調機１０の消し忘れを確実に防止することができる。
【００２７】
図５は、別の本実施形態の空調機用リモコン１０の要部構成を示す回路図である。なお、上記実施形態と同様の構成要素には同一の記号を付し、詳細な説明は省略する。
【００２８】
この図に示すように、空調機用リモコン１０内の直流電源端子Ｐ，Ｎ間には、消灯リレー（消灯検出部）４８の常閉接点４８ａと、タイマ（タイマ部）５２と、空調機停止部３４とが直列に接続されている。
【００２９】
タイマ５２は、これに通電が開始されると時間の計測を始め、通電が遮断されないことを条件として時間の計測を継続する。計測する時間は、任意に設定することができる。
【００３０】
以上の構成を有する空調機用リモコン２０の動作について説明する。空調機１０は、空調機用リモコン２０の運転／停止スイッチ２４をオンすることで運転する。また、照明灯４２は、照明スイッチ４６をオンすることで点灯する。照明スイッチ４６のオン動作により、消灯リレー４８への通電が開始されると、消灯リレー４８の常閉接点４８ａが開成される。常閉接点４８ａの開成によりタイマ５２及び空調機停止部３４への通電が遮断されるので、空調機停止部３４は何も動作を行わない。
【００３１】
空調機１０が運転した状態で退室するとき、照明灯４２は、照明スイッチ４６をオフすることで電源４４の供給が遮断され消灯する。照明スイッチ４６のオフ動作により、消灯リレー４８への通電も遮断されるので、消灯リレー４８の常閉接点４８ａが閉成される。言い換えれば、消灯を検出する。常閉接点４８ａの閉成により、タイマ５２への通電が開始し、タイマ５２が時間の計測を継続する。そして、タイマ５２により所定時間が計測されると、空調機停止部３４への通電が開始し、空調機停止部３４はその変化を検知して空調機１０を停止させる動作を行う。なお、タイマ５２が所定時間を計測する前に常閉接点４８ａが開成すると、タイマ５２の計測は停止、リセットされる。そして、空調機停止部３４には通電されず、その結果、空調機１０の運転は継続される。
【００３２】
上記動作を図６に示すフローチャートで説明する。まず、ステップＳ１１１において、照明が消灯したか否かが判断される。照明が消灯した場合、ステップＳ１１２が実行され、照明が消灯していない場合、ステップＳ１１６が実行される。ステップ１１６では、空調機１０の運転が継続されて、制御動作が終了する。
【００３３】
ステップＳ１１２において、タイマ５２が作動し、ステップ１１３では、タイマ５２が時間Ｔを計測する。そして、ステップＳ１１４において、時間Ｔが所定時間Ｔ１を越えるか否かが判断される。時間Ｔが所定時間Ｔ１を超えた場合、ステップ１１５で空調機１０を停止させる動作を行い、制御動作が終了する。一方、時間Ｔが所定時間Ｔ１を超えていない場合、ステップ１１６に進み、上述のように空調機１０の運転が継続されて、制御動作が終了する。
【００３４】
空調機用リモコン２０の構成にタイマ５２を追加することにより、照明の消灯から所定時間遅延して空調機１０が停止する。これにより、誤って照明を消灯した後に所定時間内に照明を点灯した場合には、空調機１０が停止するとなく運転を継続することができる。
【図面の簡単な説明】
【００３５】
【図１】空調機の構成を示す図である。
【図２】空調機用リモコンの外形を示す図である。
【図３】本実施形態の空調機用リモコンの要部構成を示す回路図である。
【図４】空調機用リモコンの制御動作の一例を示すフローチャートである。
【図５】別の実施形態の空調機用リモコンの要部構成を示す図である。
【図６】空調機用リモコンの制御動作の別の例を示すフローチャートである。
【符号の説明】
【００３６】
１０  空調機、１２  室内、２０  空調機用リモコン、３４  空調機停止部、４０  照明の電源回路、４６  照明スイッチ、４８  消灯リレー、４８ａ  常閉接点、５２  タイマ。
【図１】
2010060199.tif 000003
【図２】
2010060199.tif 000004
【図３】
2010060199.tif 000005
【図４】
2010060199.tif 000006
【図５】
2010060199.tif 000007
【図６】
2010060199.tif 000008